(57)【要約】      （修正有）【課題】取付可能部分がかご内の天井角部に限定されることなく、乗場にも使用できるエレベータの位置表示灯を提供する。【解決手段】エレベータのかご情報を表示する表示器１と、この表示器を略鉛直方向に設けられた軸２ａの周りに回動自在に保持する保持部材３と、上記表示器を上記軸の周りに回動させる駆動手段２と、上記表示器の表示を制御する表示制御手段とを備えるように構成したことにより、周囲角約３６０°からの視認性が確保され、取付位置の制約がなく後付けも可能とした。【選択図】図１
2006264870.tif 000002
【特許請求の範囲】
【請求項１】
エレベータのかご情報を表示する表示器と、この表示器を略鉛直方向に設けられた軸の周りに回動自在に保持する保持部材と、上記表示器を上記軸の周りに回動させる駆動手段と、上記表示器の表示を制御する表示制御手段とを備えたことを特徴とするエレベータの位置表示装置。
【請求項２】
上記表示器はドットマトリックス状に配設された所定数のＬＥＤからなることを特徴とする請求項１に記載のエレベータの位置表示装置。
【請求項３】
上記表示制御手段は、上記表示器が、該表示器の回転方向に設定された複数の所定の回転角度を向いた時に点灯させ、その他の角度では消灯させることにより、目の残像効果を利用して回転方向の複数の方向にかご情報を表示するように構成されてなることを特徴とする請求項１または請求項２に記載のエレベータの位置表示装置。
【請求項４】
上記表示器は、水平面に対する傾斜方向を変更し得る角度調節部材を備えてなることを特徴とする請求項１ないし請求項３の何れかに記載のエレベータの位置表示装置。
【発明の詳細な説明】
【技術分野】
【０００１】
この発明は、例えばエレベータの乗場、あるいはかご内の天井部などに取り付けられるエレベータの位置表示装置に関する。
【背景技術】
【０００２】
従来のエレベータの位置表示装置としては、表示体を乗りかご天井側の３つの平面が交差する角部に設置し、かご内のどの位置の乗客でも階床数字を見易くしたものがある（例えば特許文献１参照。）。
【０００３】
【特許文献１】特開平８−２６６１５号公報（第１頁、図１）
【発明の開示】
【発明が解決しようとする課題】
【０００４】
上記のような従来のエレベータの位置表示装置においては、視認性が改善されるとはいうものの、取付可能部分がかご内の天井角部に限定されるため、取付の自由度が低く、例えば乗場には使用できないという問題があった。
【０００５】
この発明は上記のような従来技術の課題を解消するためになされたもので、周囲角約３６０°からの視認性が確保され、取付位置の制約がなく後付けも可能なエレベータの位置表示装置を提供することを目的としている。
【課題を解決するための手段】
【０００６】
この発明によるエレベータの位置表示装置は、エレベータのかご情報を表示する表示器と、この表示器を略鉛直方向に設けられた軸の周りに回動自在に保持する保持部材と、上記表示器を上記軸の周りに回動させる駆動手段と、上記表示器の表示を制御する表示制御手段とを備えるように構成したものである。
【発明の効果】
【０００７】
この発明においては、かご位置を表示する表示器を回転させて、回転面上に表示させるようにしたことにより、周囲約３６０°からの視認性が可能となり、エレベータのかご内においては混雑時でも視認性が容易となり乗り過ごしや降り間違いを低減することができる。また、構造上取付位置の制約がなく、後付けも容易であり、乗場に取り付けた場合には遠くからの視認性が向上し、乗り損ねを低減し、待ち時間を少なくできる。
【発明を実施するための最良の形態】
【０００８】
実施の形態１．
図１〜図５はこの発明の実施の形態１によるエレベータの位置表示装置を説明するもので、図１は要部を概念的に示す側面断面図、図２は図１に示す位置表示装置をＩＩ−ＩＩ線の方向に見たときの部分断面図、図３は図１に示すＬＥＤの回転方向における点滅位置を示す説明図、図４は制御回路の概要を示す構成図、図５はかご内に取り付けた状態をイメージ的に示す斜視図である。図において、エレベータのかご位置や昇降方向などのかご情報を表示する表示器１の前面部（図１の左方向）には、所定数のＬＥＤをマトリックス状に配列したドットマトリックスＬＥＤ１ａが設けられている。この表示器１は駆動手段としてのモータ２の鉛直方向Ｖに設けられた軸２ａに固定され水平面の方向に回転面Ｈを有する保持部材３の先端部に固定されている。
【０００９】
上記モータ２は、天井部などに固定するための基体４の下部に固定された円錐状の取付部材５の内部に収容固定され、出力軸である軸２ａの下端部が取付部材５の下端部から突出されており、軸２ａに固定された保持部材３を介して表示器１を矢印Ａの方向に回転する。上記表示器１、モータ２を含む取付部材５の下半部、及び保持部材３の回りには、例えばアクリル樹脂などからなる黒色ないしは暗褐色系で透光性の球形状のカバー６が設けられ、このカバー６は上端部で取付部材５に固定されている。図３はドットマトリックスＬＥＤ１ａの回転方向における点灯位置ＬＯＮと消灯位置ＬＯＦＦを示しており、この例では円周３６０度の内、９０度毎、即ち図の上下左右方向のＬ１、Ｌ２、Ｌ３、及びＬ４の位置で点灯し、その間の位置では消灯される。なお、上記ＬＯＮの回転角度は特に限定されるものではないが、例えば約１度〜５度程度の範囲内に設定される。
【００１０】
図４は上記表示器１の表示制御手段１１を含む制御回路の概要構成を示しており、エレベータ制御盤７は、地震、火災等非常時状態を表示する管制信号、エレベータの現在位置を知らせるエレベータ位置信号、かごの昇降方向を知らせるエレベータ方向信号などの各信号を各乗場制御盤８に伝送する。各乗場制御盤８はかご内及び各階床毎に設けられており、エレベータ制御盤７からの信号を受けて表示制御手段１１に表示情報を伝送して表示器１を点滅制御させてかごの情報を表示させると共に、モータコントローラ９に電源を供給する。モータコントローラ９は、表示器１の回転数設定機能を有し、各乗場制御盤８から電源供給を受けて設定された回転数の信号をモータドライバ１０へ伝送する。モータドライバ１０は、モータコントローラ９からの信号を受けてモータ２に電力を供給し、モータ２は表示器１を所定の回転数で回転させる。なお、上記表示制御装置１１は、回転方向の表示数、及び表示角度を設定する手段、表示器１の回転数を設定する手段などを備えているが、何れも図示を省略している。
【００１１】
なお、上記モータ２は図示省略している回転位置検出装置を備えており、上記表示制御手段９は、表示器１が図３におけるＬＯＮ、ＬＯＦＦで示す所定の角度でドットマトリックスＬＥＤ１ａをＯＮ・ＯＦＦするように同期制御するために、表示器１の回転角度の情報を該回転位置検出装置から得ている。また、固定部側である取付部材５と、モータ２により回転される保持部材３との間には図示を省略している信号ラインと電源ラインが設けられており、信号ラインは無線により伝送され、電源ラインは例えば非接触給電装置などの給電方式で供給される構成としているが、これらは実用に供されている公知の従来技術を適宜選択して容易に構成できるものであるので具体的な説明を省略する。
【００１２】
上記のように構成されたエレベータの位置表示装置１２は、図５に例示するようにエレベータのかご１３内の天井部１３ａに取り付けられ、出入口扉１４横の袖壁１５の上部に設けられた従来の位置表示灯１６と信号を共有して併用される。なお、図５において、袖壁１５に設けた位置表示灯１６には、かごが「５階」にいることが点灯され、同時に天井部１３ａに設けた位置表示装置１２にも「５階」にいることが点灯されていることを例示している。なお、Ｐ１は背の高い乗客、Ｐ２は背の低い乗客を示す。
【００１３】
次に上記のように構成された実施の形態１の動作について説明する。モータ２は、エレベータが稼動状態のとき、各乗場制御盤８からの信号により、モータコントローラ９、モータドライバ１０によって表示器１を例えば約１４４０ｒｐｍ〜約３６００ｒｐｍ程度の範囲内で設定された一定速度で矢印Ａで示す一定方向に回転させている。表示制御手段１１は、各乗場制御盤８からエレベータ情報、例えば現在位置である「５」階に対応した信号を受けると、表示器１の回転角度に応じて、図３に示すＬ１、Ｌ２、Ｌ３、Ｌ４の位置でＬＯＮの期間、ドットマトリックスＬＥＤ１ａを「５」のパターンに点灯させ、その他のＬＯＦＦの期間はドットマトリックスＬＥＤ１ａを消灯する。
【００１４】
人間の目には残像効果があり、毎秒５０〜６０回以上の光の点滅は認識できなくなり、連続点灯しているように見える。因みに映画などではスクリーンに毎秒２４コマの映像を投写し、テレビでは毎秒３０コマの映像を表示することにより、断続的な映像が連続的な動きで見えることはよく知られているところである。この実施の形態１では、このような残像効果を利用して、回転させた表示器１が所定の回転角度にあるときに点灯して情報を表示し、その他の区間では消灯するように点滅を繰り返すことにより、周囲４方向にかご情報を表示することにより、斜め位置を含めて周囲３６０度の何れの方向からもかご情報の表示を視認することができる。
【００１５】
このため、例えば図５に示すように背の低い乗客Ｐ２と袖壁１５に設けられた位置表示灯１６との間に背の高い乗客Ｐ１がいて、位置表示灯１６が見えない状態のときや、混雑時などにおいても、天井部に取り付けられて周囲４つの方向にかご情報を表示するようにした位置表示装置１２により、背の低い乗客Ｐ２もエレベータのかご位置を視認することができる。
【００１６】
なお、上記図３では回転角度が９０度毎で、周囲４方向に表示する場合について説明したが、これに限定されるものではなく、例えば表示角度を１２０度毎にして周囲３方向に表示し、あるいは５方向以上に表示することもできる。なお、５方向以上とする場合は、表示面が互いに重ならない範囲内とする必要がある。また、表示する情報はかご位置のほか、昇降方向を同時にもしくは別々に表示することも容易である。方向、位置両方を表示したものを回転させてもよい。別々に表示する場合、所定時間の間隔で位置情報と昇降方向情報を交互に表示させることも容易である。さらに、ドットマトリックスＬＥＤ１ａの表示面を平面状に構成した例を示したが、これに限定されるものではなく、例えば円筒、球、及び円錐などの一部を用いた形状にして外側に突出するように湾曲させてもよい。また、カバー６は球形状に限定されず、たとえば円筒状、下部が半球状で上部が円筒状など適宜の形状にすることができる。
【００１７】
上記説明したように、この実施の形態１によれば、かご情報を表示する表示器１を回転させて、回転方向に異なる４つの位置で点灯させるようにしたことにより、周囲約３６０度からの視認が可能となり、このためエレベータのかご内においては混雑時でも視認性が容易となり乗り過ごしや降り間違いを低減することができる。また、また構造上、取付位置の制約がなく、大きな後改造を必要とせずに既存のエレベータのかご内、及び乗場に後付けすることも容易である。
【００１８】
実施の形態２．
図６はこの発明の実施の形態２によるエレベータの位置表示装置をエレベータの乗場に取り付けた状態を示すイメージ図である。図において、乗場の側壁１７の、乗場ドア１８横上部には従来と同様の表示灯１９が設けられ、その近傍の天井部２０に上記実施の形態１と同様のエレベータの位置表示装置１２が設けられている。なお、その他の構成は上記実施の形態１と同様であるので説明を省略する。
【００１９】
従来の側壁１７に設けられた表示灯１９では、斜め方向からの視認性が確保されていなかったため、乗客Ｐの位置からはかご情報が分からなかったが、この実施の形態２では、従来の表示灯１９の近くの天井部２０に４方向に向けてかご情報を表示するエレベータの位置表示装置１２を設けたことにより、図に示す斜め横方向からも容易にかご情報が視認できる。このため、遠くからの視認性が向上し、不必要に急いだり、慌てたりすることがなくなり、さらに乗り損ねを低減し待ち時間を少なくできるなど利便性が向上する。また構造上、後付けも容易であり、客先のクレーム処理能力も向上させることが出来る。なお、乗場の天井が特に高い場合には、位置表示装置１２を例えばポールなどにより天井から吊り下げ、あるいは側壁１７から例えばアームなどの支持部材を突出させてその先端部に固定するようにしても良い。また、図ではかご位置「５」の情報のみ表示しているが、同時に昇降方向を矢印で表示できることは実施の形態１と同様である。
【００２０】
実施の形態３．
図７はこの発明の実施の形態３による位置表示装置の要部を概念的に示す側面断面図である。図において、表示器１は保持部材３に対して回動軸１ｂのまわりに上下方向に回動可能に取り付けられ、かつ背面部には上下２箇所で固定された半円形に形成された角度調節部材２１が取り付けられている。該角度調節部材２１には、多数の貫通孔２１ａが円周方向に沿って設けられており、保持部材３の側面部には表示器１を回動軸１ｂのまわりに回動したときの貫通孔２１ａの回動軌跡の中心部に、固定ボルト２２に螺合するねじ穴（図示省略）が設けられている。一方、保持部材３の表示器１とは反対側の右端部にはバランス用の錘２３が固定されている。その他の構成は上記実施の形態１と同様であるので説明を省略する。
【００２１】
上記のように構成された実施の形態３においては、位置表示装置１２を取り付ける前に、設置場所の状況、施主の要求等に応じて予め表示器１を水平面に対して所望の角度に向けて傾斜させ、そのときの保持部材３に設けられたねじ穴と略一致する貫通孔２１ａに固定ボルト２２を挿通して保持部材３に固定することにより、表示器１を所望の任意の角度、例えば下方を向けて固定することができる。このため、例えば乗場に取り付けるときは遠方からの視認性を向上させるために、表示器１が略水平もしくは僅かに下方向に向くように固定し、かご内に取り付けるときは近い位置での視認性を向上させるために斜め下に向けて固定するなど、表示器１の角度を自由に変えて取り付けるようにすることができ、設置場所に対する対応範囲が広がるという効果が得られる。また、バランス用の錘２３は、遠心力による振動を抑制するのに有効である。
【００２２】
実施の形態４．
上記実施の形態１〜３では、表示器１を回転させ、ドットマトリックスＬＥＤ１ａを所定回転角度位置で点滅させて円周方向の視認性向上を図ったが、これに限定されるものではなく、例えば表示器１にはエレベータの情報を常時点灯し、表示器１を視認できる程度のゆっくりしたスピード、例えば１０ｒｐｍ〜３０ｒｐｍ程度の速度で回転させるように構成してもよい（図示省略）。この場合、見ている位置に対して１回転しないと現在情報を認識できないので、多少のタイムラグがあるものの、ドットマトリックスＬＥＤは常時表示しているので、任意の方向で表示認識させることができる。さらにまた、この場合には、表示器１を例えば３６０度〜１８０度程度の範囲内で折り返しを繰り返すように正逆回転させ、信号の伝送や電源の供給を有線式にすることもできる（図示省略）。方向転換位置は乗客があまり見ない位置、例えば取り付け時の壁側とすればよく、また、有線式とした場合には用いる回路部品を少なくできるので安価に提供することができる。
【００２３】
なお、上記実施の形態の説明では、表示器１としてドットマトリックス状に配置されたＬＥＤを用いたが、もとよりこれに限定されるものではなく、例えばセグメント状に配置されたものでも同様に構成でき、さらにＬＥＤに代えて、液晶表示素子、プラズマ発光素子、ＥＬ素子など他の表示素子を用いても差し支えない。また、表示器１は回転方向に等分した角度の方向に表示するように構成した例で説明したが、例えば壁際の天井部に取り付ける場合など３６０度方向からの視認性が必要でない場合などは視認角度を例えば前方に限定し、表示位置を正面から見て左右４５度ずつ２箇所にするなど狭めて構成することも自由である。その他、角度調節部材２１の角度調節方式など、この発明の精神の範囲内で種々の変形や変更が可能であることは言うまでもない。
【図面の簡単な説明】
【００２４】
【図１】この発明の実施の形態１によるエレベータの位置表示装置の要部を概念的に示す側面断面図。
【図２】図１に示す位置表示装置をＩＩ−ＩＩ線に見たときの部分断面図。
【図３】図１に示すＬＥＤの回転方向における点滅位置を示す説明図。
【図４】図１に示す位置表示装置の制御回路の概要を示す構成図。
【図５】図１に示す位置表示装置をかご内に取り付けた状態をイメージ的に示す斜視図。
【図６】この発明の実施の形態２によるエレベータの位置表示装置をエレベータの乗場に取り付けた状態を示すイメージ図。
【図７】この発明の実施の形態３によるエレベータの位置表示装置の要部を概念的に示す側面断面図。
【符号の説明】
【００２５】
１  表示器、  １ａ  ドットマトリックスＬＥＤ、  １ｂ  回動軸、  ２  駆動手段（モータ）、  ２ａ  軸、  ３  保持部材、  ４  基体、  ５  取付部材、  ６  カバー、  ７  エレベータ制御盤、  ８  各乗場制御盤、  ９  モータコントローラ、  １０  モータドライバ、  １１  表示制御手段、  １２  位置表示装置、  １３  かご、  １３ａ  天井部、  １４  出入口扉、  １５  袖壁、  １６  位置表示灯、  １７  側壁、  １８  乗場ドア、  Ｐ  乗客、  １９  表示灯、  ２０  天井部、  ２１  角度調節部材、  ２１ａ  貫通孔、  ２２  固定ボルト、  ２３  錘、  Ｐ１  背の高い乗客、  Ｐ２  背の低い乗客。
【図１】
2006264870.tif 000003
【図２】
2006264870.tif 000004
【図３】
2006264870.tif 000005
【図４】
2006264870.tif 000006
【図５】
2006264870.tif 000007
【図６】
2006264870.tif 000008
【図７】
2006264870.tif 000009